(57)【要約】【課題】香水の容器のように取出口の径が多種類ある容器でも、ほとんど全ての取出口に共用することが可能な香水詰替え用ノズルを提供する。【解決手段】市販の香水容器に装着する香水詰替え用ノズルを設ける。取出口１１から取外した操作頭部２０の替りに嵌合せしめる交換用操作頭部１を設ける。交換用操作頭部１に小分けパイプ２を連結する。交換用操作頭部１に、取出口１１に嵌合せしめる嵌合部１Ａを設ける。嵌合部１Ａの内周面を、頂部から下方に広がるテーパー状に形成する。嵌合部１Ａを取出口１１の異なる径に対応するように構成する。交換用操作頭部１の側面に小分けパイプ２を連結する。市販の香水容器Ｐから携帯用容器の開口部内に小分けパイプ２を挿入する。【選択図】  図１
0003180937.tif 000002
【実用新案登録請求の範囲】
【請求項１】
容器の口部に装着するピストンパイプの上端部に形成された取出口と、該取出口に着脱自在に設けられピストンパイプの押し込み操作で内容液を取出す操作頭部とが設けられた市販の香水容器に装着する香水詰替え用ノズルにおいて、
取出口から取外した操作頭部の替りに取出口に嵌合せしめる交換用操作頭部と、該交換用操作頭部に連結された小分けパイプとで構成され、
取出口に嵌合せしめる交換用操作頭部の嵌合部の内周面を、頂部から下方に広がるテーパー状に形成し、該嵌合部を取出口の異なる径に対応するように構成したことを特徴とする香水詰替え用ノズル。
【請求項２】
前記小分けパイプは前記交換用操作頭部の側面に連結され、前記嵌合部に連通する抽出流路を形成し、前記市販の香水容器から移し替える携帯用容器の開口部内に小分けパイプを挿入して香水を注入するように構成した請求項１記載の香水詰替え用ノズル。
【請求項３】
前記香水容器は、弾性復元機構を介して上方に突出するピストンパイプの取出口から内容液を取出す操作頭部が取付けられ、容器内部の内容液を吸い上げる吸上げパイプとピストンパイプとの間に連結パイプが取付けられると共に、逆止弁が設けられた市販の香水容器である請求項１記載の香水詰替え用ノズル。
【考案の詳細な説明】
【技術分野】
【０００１】
本考案は、化粧ビンに入っている香水を携帯用の容器に詰め替える際に使用する香水詰替え用ノズルに関する。
【背景技術】
【０００２】
特許文献１に従来の詰替え用ノズルが記載されている。この詰替え用ノズルは、押圧操作頭部と分取パイプとを連結した構成で、各種香水容器における取出口に共用することができるようにするため、香水の容器取出口に嵌合する係合部を多段に形成したものである。
【先行技術文献】
【特許文献】
【０００３】
【特許文献１】特許第４０３２１３２号公報
【考案の概要】
【考案が解決しようとする課題】
【０００４】
特許文献１に記載の詰替え用ノズルは、香水容器の取出口に嵌合する係合部を多段に形成することで、各種香水容器における取出口に共用することができるようにしているが、共用可能になるのは、多段に形成した係合部の各径に一致する取出口に限られるものであった。すなわち、係合部の径を二段にした場合は、二種類の径の取出口に対応し、係合部の径を三種類にした場合は、三種類の径の取出口に対応することが可能になる。
【０００５】
ところが、香水の容器は、容量の違いの外に種類やブランドなどで多種多様の容器が提供されており、これに伴って、香水容器に使用される取出口の径も多様な径が使用されているのが現状である。そのため、特許文献１に記載の詰替え用ノズルのように、取出口に嵌合する係合部を多段に形成したものでは、適合可能な容器が段の数に限定されてしまいうといった不都合が生じていた。
【０００６】
そこで、本考案は上述の課題を解消すべく案出されたもので、香水の容器のように取出口の径が多種類ある容器でも、ほとんど全ての取出口に共用することが可能な香水詰替え用ノズルの提供を目的とするものである。
【課題を解決するための手段】
【０００７】
上述の目的を達成すべく本考案における第１の手段は、容器Ｐの口部に装着するピストンパイプ１０の上端部に形成された取出口１１と、該取出口１１に着脱自在に設けられピストンパイプ１０の押し込み操作で内容液を取出す操作頭部２０とが設けられた市販の香水容器に装着する香水詰替え用ノズルにおいて、取出口１１から取外した操作頭部２０の替りに取出口１１に嵌合せしめる交換用操作頭部１と、該交換用操作頭部１に連結された小分けパイプ２とで構成され、取出口１１に嵌合せしめる交換用操作頭部１の嵌合部１Ａの内周面を、頂部から下方に広がるテーパー状に形成し、該嵌合部１Ａを取出口１１の異なる径に対応するように構成したことにある。
【０００８】
第２の手段において、前記小分けパイプ２は前記交換用操作頭部１の側面に連結され、前記嵌合部１Ａに連通する抽出流路２Ａを形成し、前記市販の香水容器Ｐから移し替える携帯用容器の開口部内に小分けパイプ２を挿入して香水を注入するように構成したものである。
【０００９】
第３の手段の前記香水容器Ｐは、弾性復元機構３０を介して上方に突出するピストンパイプ１０の取出口１１から内容液を取出す操作頭部２０が取付けられ、容器Ｐ内部の内容液を吸い上げる吸上げパイプ５０とピストンパイプ１０との間に連結パイプ４０が取付けられると共に、逆止弁６０が設けられた市販の香水容器である。
【考案の効果】
【００１０】
本考案の請求項１によると、取出口１１に嵌合せしめる交換用操作頭部１の嵌合部１Ａの内周面を、頂部から下方に広がるテーパー状に形成し、該嵌合部１Ａを取出口１１の異なる径に対応するように構成したことにより、取出口１１の径が少しずつ異なっている場合でも、全ての取出口１１に対応することができる。この結果、取出口の径が多種類ある容器でも、ほとんど全ての取出口に共用することが可能になった。
【００１１】
請求項２のように、前記小分けパイプ２は前記交換用操作頭部１の側面に連結され、前記嵌合部１Ａに連通する抽出流路２Ａを形成し、前記市販の香水容器Ｐから移し替える携帯用容器の開口部内に小分けパイプ２を挿入して香水を注入するように構成したことで、市販の香水用の容器Ｐから所定の携帯用容器に香水を確実に小分けすることができる。
【００１２】
請求項３のごとく、本考案で使用可能な容器Ｐは、弾性復元機構３０を介して上方に突出するピストンパイプ１０の取出口１１から内容液を取出す操作頭部２０が取付けられ、容器Ｐ内部の内容液を吸い上げる吸上げパイプ５０とピストンパイプ１０との間に連結パイプ４０が取付けられると共に、逆止弁６０が設けられた市販の香水容器であるから、多くの容器Ｐに使用することができる。
【図面の簡単な説明】
【００１３】
【図１】本考案の使用状態を示す一部切欠側面図である
【図２】（イ）乃至（ハ）は、本考案の嵌合部の嵌合例を示す一部側断面図である
【図３】本考案の一実施例を示す側面図である。
【考案を実施するための形態】
【００１４】
このように本考案によると、香水の容器のように取出口の径が多種類ある容器でも、ほとんど全ての取出口に共用することが可能になるといった当初の目的を実現した。
【００１５】
以下、本考案の実施例を説明する。本考案ノズルは、市販の香水容器に装着して携帯用容器に香水を小分けする際に使用するものである。
【００１６】
市販の香水容器とは、容器Ｐの口部に装着するピストンパイプ１０の上端部に形成された取出口１１と、該取出口１１に着脱自在に設けられピストンパイプ１０の押し込み操作で香水を取出す操作頭部２０とが設けられたものである。本考案は、この操作頭部２０の替りに交換用操作頭部１を取出口１１に装着する（図１参照）。
【００１７】
図示例の容器Ｐは、弾性復元機構３０を介して上方に突出するピストンパイプ１０が設けたられたもので、このピストンパイプ１０上端の取出口１１に操作頭部２０が取り付けられている。そして、この操作頭部２０を押し込み操作することで、容器Ｐ内部の香水を吸上げパイプ５０が吸い上げて操作頭部２０から香水を取出すように構成されている。そのため、吸上げパイプ５０とピストンパイプ１０との間に連結パイプ４０が取付けられると共に、逆止弁６０が設けられている。
【００１８】
本考案ノズルは、交換用操作頭部１と小分けパイプ２とで構成するものである。交換用操作頭部１は、取出口１１から取外した操作頭部２０の替りに取出口１１に嵌合せしめる部材で、取出口１１に嵌合する嵌合部１Ａを設けている。
【００１９】
この嵌合部１Ａは、内周面が頂部から下方に広がるテーパー状に形成されており、取出口１１の異なる径に対応するように構成したものである（図２参照）。すなわち、同図（イ）のごとく、径が太い取出口１１の場合、径が広がった嵌合部１Ａの下端部に取出口１１が嵌合する。また、同図（ロ）のように、（イ）よりも若干細い取出口１１の場合は、嵌合部１Ａの中間部で嵌合し、更に細い径の取出口１１は、同図（ハ）のごとく、嵌合部１Ａの上端部で嵌合することになる。
【００２０】
図示例では、取出口１１の３種類の径に対応した状態を示しているが、嵌合部１Ａの下端部から上端部に至る径は次第に狭くなっているので、取出口１１の径が僅かに相違するものでも確実に嵌合させることができるものである。
【００２１】
小分けパイプ２は、交換用操作頭部１に連結され、携帯用容器の内部に挿入する部材である。図示の小分けパイプ２は、交換用操作頭部１の側面に連結されている（図３参照）。そして、嵌合部１Ａに連通する抽出流路２Ａを形成し、容器Ｐから携帯用容器に移し替える長さと、携帯用容器の開口部内に挿入する細さに形成している。
【００２２】
本考案ノズルを使用する場合は、取出口１１から操作頭部２０を取り外し、取出口１１に交換用操作頭部１を嵌合させる。次に小分けパイプ２を携帯用容器の内部に挿入し、この状態を維持して交換用操作頭部１を押し下げ操作することで、容器Ｐ内から携帯用容器内に香水が移動する。
【００２３】
尚、本考案の交換用操作頭部１や小分けパイプ２の形状や寸法、あるいは嵌合部１Ａの上端部と下端部との内径の差などは図示例に限定されるものではなく、本考案の要旨を変更しない範囲において自由に変更できるものである。更に、本考案では、香水の小分け用ノズルとして説明しているが、香水に限定されるものではなく、オーデコロンやその他の液状物など、市販の香水用の容器Ｐと同様の構成を有する容器Ｐに入った液体ならどのような液体でも小分けすることが可能である。
【符号の説明】
【００２４】
Ｐ  容器
１  交換用操作頭部
１Ａ  嵌合部
２  小分けパイプ
２Ａ  抽出流路
１０  ピストンパイプ
１１  取出口
２０  操作頭部
３０  弾性復元機構
４０  連結パイプ
５０  吸上げパイプ
６０  逆止弁
【図１】
0003180937.tif 000003
【図２】
0003180937.tif 000004
【図３】
0003180937.tif 000005